(57)【要約】      （修正有）【課題】矯正後の角膜矯正径の端部において、表面を滑らかな曲面とすることができる角膜矯正コンタクトレンズを提供する。【解決手段】角膜の形状を変えることにより視力を矯正するための角膜矯正コンタクトレンズであって、角膜と接するコンタクトレンズ面が、中央に配置されて角膜を押圧するベース領域と称する中央部分、ベース領域の周囲に配置されてリバース領域と称する環状の部分、リバース領域の周囲に配置されてアライメント領域と称する環状の部分、およびアライメント領域の周囲に配置されてペリフェラル領域と称する環状の部分、を有してなり、ベース領域の幅が、ベース領域の曲線とアライメント領域の曲線の延長線とが交わる点から、コンタクトレンズ中心軸に垂直に交わる点とまでの直線距離の２倍の長さを基準として＋３０％の範囲内であり、かつ、ベース領域とリバース領域の間にはシフト領域と称する環状の曲面が形成されてなる。【選択図】図８
2018112668.tif 000002
【特許請求の範囲】
【請求項１】
角膜の形状を変えることにより視力を矯正するための角膜矯正コンタクトレンズであって、
角膜と接するコンタクトレンズ面が、
中央に配置されて角膜を押圧するベース領域と称する中央部分、
前記ベース領域の周囲に配置されてリバース領域と称する環状の部分、
前記リバース領域の周囲に配置されてアライメント領域と称する環状の部分、および
前記アライメント領域の周囲に配置されてペリフェラル領域と称する環状の部分、を有してなり、
前記ベース領域の幅が、前記ベース領域の曲線と前記アライメント領域の曲線の延長線とが交わる点から、コンタクトレンズ中心軸に垂直に交わる点までの直線距離の２倍の長さを基準として＋３０％の範囲内であり、
かつ、前記ベース領域と前記リバース領域の間にシフト領域と称する環状の曲面が形成されてなることを特徴とする角膜矯正コンタクトレンズ。
【請求項２】
前記ベース領域の幅が、前記ベース領域の曲線と前記アライメント領域の曲線の延長線とが交わる点から、コンタクトレンズ中心軸に垂直に交わる点までの直線距離の２倍の長さである、請求項１に記載の角膜矯正コンタクトレンズ。
【請求項３】
前記シフト領域の曲率半径が、前記アライメント領域の曲率半径より大きく、かつ前記ベース領域の曲率半径より小さい範囲で形成されてなる、請求項１または２に記載の角膜矯正コンタクトレンズ。
【発明の詳細な説明】
【技術分野】
【０００１】
本発明は、角膜矯正コンタクトレンズに関する。より詳細には、角膜表面の形状を変形させるための構造を有する角膜矯正コンタクトレンズに関する。
【背景技術】
【０００２】
近視を矯正する手段として、複数の曲率半径を多段階に設けたコンタクトレンズを夜間装用して、角膜表面の形状を変形させ、角膜自体の焦点距離を変える治療法（オルソケラトロジー）および、この治療法に使用する角膜矯正コンタクトレンズ（オルソケラトロジーレンズ）が知られている（例えば特許文献１、特許文献２）。
【０００３】
角膜矯正コンタクトレンズを用いた視力矯正の仕組みを説明する。
【０００４】
まず近視の状態では、図１に示すように、角膜２の表面は、網膜に対して前に凸の曲率（図１で左側に凸の非球面形状）を有する。このため、焦点が網膜６上に結ばれることなく、網膜６の前で光の収束が起こる。
【０００５】
この角膜２に、図２に示すように、角膜矯正コンタクトレンズ１をコルセットのように装用し、図１に示す角膜表面７の形状を矯正させる。
【０００６】
これにより、角膜矯正コンタクトレンズ１を取り外した後も、図３に示すように、角膜表面７を扁平化させた状態とすることができる。
【０００７】
このため、扁平化された角膜表面を通る光は、屈折力が調整されて、焦点が網膜６上に結ばれることとなり、一定時間、視力の改善を得られるものである。
【０００８】
角膜矯正コンタクトレンズについては、図４に示すように、角膜表面に接する面の形状が少なくとも４つの部位に分かれるものが一般的である。すなわち、角膜矯正コンタクトレンズの中央に配置され、角膜表面を押圧して表面曲線の矯正を担う凹球面であるベース領域、ベース領域の周囲に配置され、ベース領域より移動する角膜組織を受け入れる環状のリバース領域、リバース領域の周囲に配置され、角膜矯正コンタクトレンズと角膜とのフィッティングおよび角膜矯正コンタクトレンズのセンタリングを調整する環状のアライメント領域、エッジを形成し、レンズの取り外しや涙液の角膜矯正コンタクトレンズ内への流入を助ける環状のペリフェラル領域である。
【先行技術文献】
【特許文献】
【０００９】
【特許文献１】特許第３８８１２２１号公報
【特許文献２】特許第３５８７４５６号公報
【発明の概要】
【発明が解決しようとする課題】
【００１０】
特許文献１や特許文献２に記載されるような、従来の角膜矯正コンタクトレンズ１では、図５に示すように、ベース領域Ｂおよびリバース領域Ｒにおいて、角膜矯正コンタクトレンズ１と角膜表面の間に、空間（ティアゾーンＴ）が形成され、角膜の炎症を予防するために涙液を蓄えるほか、角膜矯正コンタクトレンズの圧着により、矯正された角膜の細胞組織を流入させる余剰部として機能する。
【００１１】
ここで、角膜矯正コンタクトレンズ１により矯正された角膜表面を観察したとき、矯正された部分の端部は、図６に角膜表面の膨張部９として示すように、部分的に矯正された角膜表面曲率半径や矯正前の角膜表面曲率半径よりもスティープな曲率半径、即ち局部的に膨らむことが判明した。このため、図６に示す、角膜表面の膨張部９から入射する光は、図３に示す網膜６上に焦点を合わせられないことになり、特に瞳孔径８が拡がる夜間や暗所において、視力矯正不良を引き起こすこととなる。
【００１２】
これは、図５に示すように、角膜矯正径の端部から急に空間（ティアゾーンＴ）が拡がり、移行される角膜細胞が角膜矯正コンタクトレンズ壁面に沿って十分に移動できないためである。
【００１３】
この課題に対しては、角膜矯正径を瞳孔径よりも広くすることで、膨脹部分からの光を入射させないことができるが、眼軸方向へ角膜を深く押し付けることとなり、角膜表面を傷つける虞や荒らす虞があった。
【００１４】
そこで、本発明は、上記の課題に鑑み、ベース領域の曲線と、アライメント領域の曲線の延長線が交わる点に応じてベース領域Ｂの幅を定義し、さらにはベース領域とリバース領域の間に、移行する角膜細胞を角膜矯正コンタクトレンズ壁面に沿って案内するためのシフト領域Ｓを形成することで、矯正後の角膜表面を滑らかな曲面とすることができる角膜矯正コンタクトレンズを提供する。
【課題を解決するための手段】
【００１５】
前記課題を解決するために、本発明は以下の構成を有する。
【００１６】
（１）角膜の形状を変えることにより視力を矯正するための角膜矯正コンタクトレンズであって、角膜と接するコンタクトレンズ面が、中央に配置されて角膜を押圧するベース領域と称する中央部分、前記ベース領域の周囲に配置されてリバース領域と称する環状の部分、前記リバース領域の周囲に配置されてアライメント領域と称する環状の部分、および前記アライメント領域の周囲に配置されてペリフェラル領域と称する環状の部分、を有してなり、前記ベース領域の幅が、前記ベース領域の曲線と前記アライメント領域の曲線の延長線とが交わる点から、コンタクトレンズ中心軸に垂直に交わる点までの直線距離の２倍の長さを基準として＋３０％の範囲内であり、かつ、前記ベース領域と前記リバース領域の間にシフト領域と称する環状の曲面が形成されてなる角膜矯正コンタクトレンズである。
【００１７】
（２）また、前記ベース領域の幅が、前記ベース領域の曲線と前記アライメント領域の曲線の延長線とが交わる点から、コンタクトレンズ中心軸に垂直に交わる点までの直線距離の２倍の長さである、（１）に記載の角膜矯正コンタクトレンズである。
【００１８】
（３）また、前記シフト領域の曲率半径が、前記アライメント領域の曲率半径より大きく、かつ前記ベース領域の曲率半径より小さい範囲で形成されてなる、（１）または（２）に記載の角膜矯正コンタクトレンズである。
【発明の効果】
【００１９】
本発明によれば、矯正後の角膜矯正径の端部において、局部的に角膜表面が膨らみにくい、角膜矯正コンタクトレンズを得ることができる。
【図面の簡単な説明】
【００２０】
【図１】近視の状態における角膜形状の眼球概略図である。
【図２】角膜矯正コンタクトレンズを装用しているときの眼球概略図である。
【図３】角膜矯正コンタクトレンズを取り外した後の眼球概略図である。
【図４】従来の角膜矯正コンタクトレンズの概略図である。
【図５】従来の角膜矯正コンタクトレンズの形状を説明する概略模式図である。
【図６】従来の角膜矯正コンタクトレンズで矯正した角膜表面の概略模式図である。
【図７】本発明の角膜矯正コンタクトレンズの概略図である。
【図８】本発明の角膜矯正コンタクトレンズの形状を説明する概略模式図である。
【図９】本発明の角膜矯正コンタクトレンズで矯正した角膜表面の概略模式図である。
【発明を実施するための形態】
【００２１】
本発明は、角膜の形状を変えることにより視力を矯正するための角膜矯正コンタクトレンズであって、
角膜と接するコンタクトレンズ面が、
中央に配置されて角膜を押圧するベース領域と称する中央部分、
前記ベース領域の周囲に配置されてリバース領域と称する環状の部分、
前記リバース領域の周囲に配置されてアライメント領域と称する環状の部分、および
前記アライメント領域の周囲に配置されてペリフェラル領域と称する環状の部分、を有してなり、
前記ベース領域の幅が、前記ベース領域の曲線と前記アライメント領域の曲線の延長線とが交わる点から、コンタクトレンズ中心軸に垂直に交わる点までの直線距離の２倍の長さを基準として＋３０％の範囲内であり、
かつ、前記ベース領域と前記リバース領域の間にシフト領域と称する環状の曲面が形成されてなる角膜矯正コンタクトレンズである。
【００２２】
以下、本発明の好ましい実施形態の一例を示す。
【００２３】
まず、本発明の角膜矯正コンタクトレンズは酸素透過性の高いハードコンタクトレンズであることが好ましく、図７に示すように、本発明の角膜矯正コンタクトレンズは図１の角膜２と接する面形状は５つの部位を有する。それらは、図１に示す角膜２と接して、角膜表面７を押圧して表面曲率半径の矯正を担う中央の球面部分であるベース領域Ｂ、ベース領域Ｂの周囲に配置され、ベース領域Ｂより移動する角膜組織をリバース領域に案内するシフト領域Ｓ、案内された角膜組織を受け入れる環状のリバース領域Ｒ、リバース領域Ｒの周囲に配置され、角膜矯正コンタクトレンズ１と角膜２とのフィッティングおよび角膜矯正コンタクトレンズ１のセンタリングを調整する環状のアライメント領域Ａ、エッジを形成し、レンズの取り外しや涙液の角膜矯正コンタクトレンズ１内への流入を助けるペリフェラル領域Ｐである。
【００２４】
ベース領域Ｂの曲率半径ＲＢは、コンタクトレンズ中心軸Ｍを含む断面形状において、その中心点ＣＢはコンタクトレンズ中心軸Ｍ上に位置し、角膜表面７が矯正したい度数になるように曲率半径は決定される。この曲率半径に応じて角膜表面７の形状が変化するため近視を矯正することができる。
【００２５】
シフト領域Ｓでは、ベース領域Ｂでの矯正により移動する角膜組織を、角膜矯正コンタクトレンズ壁面に沿ってリバース領域Ｒに案内する。
【００２６】
リバース領域Ｒでは、シフト領域Ｓにより案内された角膜組織を受け入れる役割を担い、シフト領域Ｓとリバース領域Ｒにて角膜矯正コンタクトレンズ１と角膜２の間に空間（ティアゾーンＴ）が形成される。また、このティアゾーンＴにおいて、角膜矯正コンタクトレンズ１と角膜２の間に涙液を蓄えて、角膜の炎症を予防する働きを持つ。
【００２７】
アライメント領域Ａは、角膜２と接触、ないしは数ミクロンの距離をおいて接触に近い状態で、角膜矯正コンタクトレンズ１のセンタリング調整に寄与する。また、アライメント領域Ａの曲率半径ＲＡは、角膜２へのフィッティングを高めるためにも、アライメント領域の曲率半径の中心点ＣＡはコンタクトレンズ中心軸Ｍ上に位置し、矯正前の角膜表面曲率半径ＲＫに近い値となることが好ましい。
【００２８】
ペリフェラル領域Ｐでは、角膜矯正コンタクトレンズ１端部から角膜２への涙液の流入を助ける役割を担い、装用時の異物感を少なくするため、その断面形状は丸みを帯びた円錐形状を成していることが好ましい。
【００２９】
ここで、図７に示すように、すべての曲面は、コンタクトレンズ中心軸Ｍを中心とした曲率半径であり、図１に示す角膜２に対して凹型の椀状をなしている。
【００３０】
また、曲面が連なるベース領域とシフト領域の移行点Ｊ４や、シフト領域とリバース領域の移行点Ｊ５や、リバース領域とアライメント領域の移行点Ｊ２、アライメント領域とペリフェラル領域の移行点Ｊ３については、装用したときに角膜２をキズつけないようにするためにも丸みを帯びていることが好ましく、その曲率半径は０．０２〜１．００ｍｍであることが好ましい。
【００３１】
本発明の態様について、図８を用いて詳細に説明する。図８は、本発明の角膜矯正コンタクトレンズ１の概略模式図である。図８中、ベース領域の幅をＷＢ、シフト領域の幅をＷＳ、リバース領域の幅をＷＲ、アライメント領域の幅をＷＡ、ペリフェラル領域の幅をＷＰ、ベース領域の曲率半径をＲＢ、シフト領域の曲率半径をＲＳ、リバース領域の曲率半径をＲＲ、アライメント領域の曲率半径をＲＡ、ペリフェラル領域の曲率半径をＲＰとする。また、アライメント領域の曲線とコンタクトレンズ中心軸が交わる点Ｋ１から、ベース領域の曲線の延長線とコンタクトレンズ中心軸Ｍが交わる点Ｋ２までの直線距離をＤＰとする。また、ベース領域の曲線とアライメント領域の曲線の延長線とが交わる点Ｋ３から、コンタクトレンズ中心軸に垂直に交わる点Ｋ４までの直線距離をＤＷとする。
【００３２】
ベース領域の曲率半径ＲＢについては、矯正したい度数になるように曲率半径が決定されるものであり、アライメント領域の曲率半径ＲＡは、角膜２へのアライメントを高めるためにも、矯正前の角膜表面曲率半径ＲＫに近い値とすることが好ましい。
【００３３】
本発明では、ベース領域の幅ＷＢが、ベース領域の曲線とアライメント領域の曲線の延長線とが交わる点Ｋ３から、コンタクトレンズ中心軸に垂直に交わる点Ｋ４までの直線距離ＤＷの２倍の長さを基準として＋３０％の範囲内であり、さらにはベース領域の周囲に配置され、ベース領域より移動する角膜組織をリバース領域に案内するシフト領域と称する環状の部分を有することを特徴とする。
【００３４】
尚、ベース領域の曲線とアライメント領域の曲線の延長線とが交わる点Ｋ３については、ベース領域の曲率半径をＲＢと、アライメント領域の曲率半径をＲＡと、アライメント領域の曲線とコンタクトレンズ中心軸が交わる点Ｋ１と、ベース領域の曲線の延長線とコンタクトレンズ中心軸Ｍが交わる点Ｋ２までの直線距離ＤＰより導出する。
【００３５】
これにより、まず、ベース領域と角膜表面の間に生じ得るティアゾーンＴを小さくすることができる。また、ベース領域からリバース領域へ至るにあたり、移動する角膜を、シフト領域Ｓにて角膜矯正コンタクトレンズ壁面に沿って案内することで、図９に示すように矯正後の角膜曲面について、局部的に生ずる角膜表面の膨脹部９を滑らかな曲線とすることができる。
【００３６】
ここで、ベース領域の幅ＷＢを、ベース領域の曲線とアライメント領域の曲線の延長線とが交わる点Ｋ３から、コンタクトレンズ中心軸に垂直に交わる点Ｋ４までの直線距離ＤＷの２倍の長さを基準として＋３０％の範囲内とせずに、シフト領域Ｓを形成するだけでは、従来の角膜矯正コンタクトレンズと同じように、角膜矯正径の端部から急にティアゾーンが拡がることとなり、角膜表面が局部的に膨らむことになる。
【００３７】
一方で、シフト領域Ｓを形成せずに、リバース領域の曲率半径ＲＲをアライメント領域の曲率半径ＲＡに近付けて角膜矯正コンタクトレンズ壁面に沿って角膜を移動させようとすると、角膜矯正コンタクトレンズと角膜表面の間に生じるティアゾーンＴを小さくしてしまい、ベース領域Ｂでの矯正により移動する角膜組織を移動させることができず、期待する矯正効果が得られないこととなる。
【００３８】
本発明における角膜矯正コンタクトレンズのベース領域の幅ＷＢは、ベース領域の曲線とアライメント領域の曲線の延長線とが交わる点Ｋ３から、コンタクトレンズ中心軸に垂直に交わる点Ｋ４までの直線距離ＤＷの２倍の長さを基準として＋３０％までの範囲内におさまる長さのものであれば、上述のシフト領域Ｓをあわせて有することにより、矯正後の角膜表面を滑らかな曲面とする上で、実用上十分な効果を得ることができるため好ましく、前記直線距離ＤＷの２倍の長さであるならばより好ましい。
【００３９】
また、シフト領域Ｓの幅ＷＳは０．０５〜０．８０ｍｍであることが好ましい。
【００４０】
また、曲率半径ＲＳについては、０．０５〜９．００ｍｍであることが好ましい。さらに、前記シフト領域Ｓの曲率半径ＲＳが、アライメント領域の曲率半径ＲＡより大きく、ベース領域の曲率半径ＲＢより小さい範囲内であれば、それぞれの曲面を滑らかに連ねることができるため、さらに好ましい。
【００４１】
尚、それぞれの領域の曲率半径の値および幅については、例えば、接触式の輪郭形状測定器（ミツトヨ社製）にて計測することができる。
【産業上の利用可能性】
【００４２】
本発明は、角膜矯正用のコンタクトレンズとして適用できるものである。
【符号の説明】
【００４３】
１：角膜矯正コンタクトレンズ
２：角膜
３：眼軸
４：虹彩
５：水晶体
６：網膜
７：角膜表面
８：瞳孔径
９：角膜表面の膨張部
Ｂ：ベース領域
Ｓ：シフト領域
Ｒ：リバース領域
Ａ：アライメント領域
Ｐ：ペリフェラル領域
Ｔ：ティアゾーン
Ｊ１：ベース領域とリバース領域が交わる移行点
Ｊ２：リバース領域とアライメント領域とが交わる移行点
Ｊ３：アライメント領域とペリフェラル領域とが交わる移行点
Ｊ４：ベース領域とシフト領域が交わる移行点
Ｊ５：シフト領域とリバース領域が交わる移行点
Ｋ１：アライメント領域の曲線とコンタクトレンズ中心軸が交わる点
Ｋ２：ベース領域の曲線の延長線とコンタクトレンズ中心軸が交わる点
Ｋ３：ベース領域の曲線とアライメント領域の曲線の延長線とが交わる点
Ｋ４：ベース領域の曲線とアライメント領域の曲線の延長線とが交わる点から、コンタクトレンズ中心軸に垂直に交わる点
Ｍ：コンタクトレンズ中心軸
ＣＢ：ベース領域の曲率半径の中心点
ＣＳ：シフト領域の曲率半径の中心点
ＣＲ：リバース領域の曲率半径の中心点
ＣＡ：アライメント領域の曲率半径の中心点
ＣＰ：ペリフェラレル領域の曲率半径の中心点
ＲＫ：矯正前の角膜表面曲率半径
ＲＢ：ベース領域の曲率半径
ＲＳ：シフト領域の曲率半径
ＲＲ：リバース領域の曲率半径
ＲＡ：アライメント領域の曲率半径
ＲＰ：ペリフェラル領域の曲率半径
ＤＰ：ベース領域の曲線とコンタクトレンズ中心軸が交わる点と、アライメント領域の曲線の延長線とコンタクトレンズ中心軸が交わる点、との直線距離
ＤＷ：ベース領域の曲線とアライメント領域の曲線の延長線とが交わる点から、コンタクトレンズ中心軸までの直線距離
ＷＢ：ベース領域の幅
ＷＳ：シフト領域の幅
ＷＲ：リバース領域の幅
ＷＡ：アライメント領域の幅
ＷＰ：ペリフェラル領域の幅
【図１】
2018112668.tif 000003
【図２】
2018112668.tif 000004
【図３】
2018112668.tif 000005
【図４】
2018112668.tif 000006
【図５】
2018112668.tif 000007
【図６】
2018112668.tif 000008
【図７】
2018112668.tif 000009
【図８】
2018112668.tif 000010
【図９】
2018112668.tif 000011